(57)【要約】【課題】  種々の印刷画像を好適に印刷することができるＬＵＴを提供する。【解決手段】  ＲＧＢ入力値とＣＭＹＫ出力値との関係を記述した、色補正を行っていないＬＵＴ６２ａと、色補正を行ったＬＵＴ６２ｂとを用意し、結合比率αを用いて、ＬＵＴ６２ａ及び６２ｂの各格子点における出力値を結合して新たな１つのＬＵＴを生成する。ＬＵＴ６２ａの比率を示す結合比率αは、ＲＧＢ色空間の外縁から所定の範囲内の格子点では値１とし、ＲＧＢ色空間の中心から所定の範囲内の格子点では値０とする。また、その間の範囲内の格子点では、当該格子点の位置がＲＧＢ色空間の中心に向かうに従って、ＬＵＴ６２ａの比率が小さくなるように設定する。【選択図】図３
2010141828.tif 000002
【特許請求の範囲】
【請求項１】
第１の色空間内にて表される、印刷装置への入力値と、該第１の色空間とは異なる第２の色空間内にて表される、前記印刷装置の出力値との対応関係を記述したルックアップテーブルの作成方法であって、
色補正を行っていない第１のルックアップテーブルと、色補正を行った第２のルックアップテーブルとを用意し、
前記第１のルックアップテーブルと前記第２のルックアップテーブルの対応する各格子点の出力値を所定の結合比率で結合して、新たなルックアップテーブルを作成する
ルックアップテーブルの作成方法。
【請求項２】
前記所定の結合比率は、前記格子点によって変化する値である請求項１記載のルックアップテーブルの作成方法。
【請求項３】
前記所定の結合比率は、前記格子点の位置に応じて決定される値である請求項２記載のルックアップテーブルの作成方法。
【請求項４】
前記所定の結合比率は、前記第１の色空間の外縁から所定の範囲に属する前記格子点では、前記第１のルックアップテーブルの比率が値１である請求項３記載のルックアップテーブルの作成方法。
【請求項５】
前記所定の結合比率は、前記第１の色空間の中心から所定の範囲に属する前記格子点では、前記第１のルックアップテーブルの比率が値０である請求項３または請求項４記載のルックアップテーブルの作成方法。
【請求項６】
請求項３ないし請求項５のいずれか記載のルックアップテーブルの作成方法であって、
前記所定の結合比率は、前記第１の色空間の外縁と前記第１の色空間の中心との間の所定の範囲に属する格子点では、該格子点の位置が前記第１の色空間の中心に向かうに従って、前記第１のルックアップテーブルの比率が小さくなる
ルックアップテーブルの作成方法。
【請求項７】
印刷装置であって、
請求項１ないし請求項６のいずれか記載のルックアップテーブルの作成方法で作成した新たなルックアップテーブルを記憶する記憶部と、
前記新たなルックアップテーブルを用いて、前記入力値を前記出力値に変換する色変換処理を行う色変換部と、
前記色変換処理の結果を用いて印刷を実行する印刷部と
を備えた印刷装置。
【発明の詳細な説明】
【技術分野】
【０００１】
本発明は、第１の色空間内にて表される入力値と第２の色空間内にて表される出力値との対応関係を記述したルックアップテーブルを用いた色変換技術に関する。
【背景技術】
【０００２】
プリンタでは、一般的に、入力値と出力値との対応関係を記述したルックアップテーブル（ＬＵＴ）を用いて、入力した画像データを入力デバイスの色空間（例えばＲＧＢ）からプリンタのインクの色空間（例えばＣＭＹＫ）に色変換して、印刷データを生成する。ここで、例えば、ＲＧＢ形式の入力データを単純に補色変換してＣＭＹＫ形式の出力データを生成すれば、純色（原色）を純色として保つことができる。かかる単純な補色変換は、ビジネスドキュメント、例えばグラフなどの、純色でベタ塗りするような画像の印刷に適している。しかし、写真等の自然画を印刷するような場合には、入力デバイスと出力デバイスであるプリンタとでは、色再現範囲（ガマット）が異なるため、プリンタのガマットを有効に活用できず、また、なめらかな階調変化を表現できない。したがって、通常のプリンタでは、単純補色変換に対して補正を施した補正色変換が行われている。
【０００３】
しかし、かかる補正色変換では、なめらかな階調変化を確保するために、純色を純色として色変換することが困難であり、純色の印刷画像に濁りが生じていた。その結果、自然画が豊かに表現できても、上述のビジネスドキュメントなどの画像に対しては、不向きとなっていた。かかる問題を解決するためには、プリンタは、２種類のＬＵＴを備えておき、印刷画像の種類に応じて、使用するＬＵＴを切り替える必要があった。
【０００４】
【特許文献１】特開２００７−２８１８１９号公報
【発明の開示】
【発明が解決しようとする課題】
【０００５】
上述の問題を踏まえ、本発明が解決しようとする課題は、種々の印刷画像を好適に印刷することができるＬＵＴを提供することである。
【課題を解決するための手段】
【０００６】
本発明は、上述の課題の少なくとも一部を解決するためになされたものであり、以下の形態又は適用例として実現することが可能である。
【０００７】
［適用例１］第１の色空間内にて表される、印刷装置への入力値と、該第１の色空間とは異なる第２の色空間内にて表される、前記印刷装置の出力値との対応関係を記述したルックアップテーブルの作成方法であって、
色補正を行っていない第１のルックアップテーブルと、色補正を行った第２のルックアップテーブルとを用意し、
前記第１のルックアップテーブルと前記第２のルックアップテーブルの対応する各格子点の出力値を所定の結合比率で結合して、新たなルックアップテーブルを作成する
ルックアップテーブルの作成方法。
【０００８】
かかるルックアップテーブルの作成方法は、色補正を行っていない第１のルックアップテーブルと、色補正を行った第２のルックアップテーブルとを用意し、当該ルックアップテーブルの対応する各格子点の出力値を結合比率αで結合して、新たなＬＵＴを作成するので、複雑な最適化処理を行わなくても、既存のＬＵＴを活用して、効率的に、第１のルックアップテーブル及び第２のルックアップテーブルの特性を併せ持った新たなルックアップテーブルを作成することができる。かかるルックアップテーブルは、第１のルックアップテーブル及び第２のルックアップテーブルの特性を併せ持つので、純色または純色に近い入力値に対しては、純色の濁りを緩和した出力値、中間階調の入力値に対しては、自然画を一定程度豊かに表現できる出力値とすることができる。
【０００９】
［適用例２］所定の結合比率は、格子点によって変化する値である適用例１記載のルックアップテーブルの作成方法。
【００１０】
かかるルックアップテーブルの作成方法は、格子点によって結合比率が変化するので、新たなルックアップテーブルの特性の自由度を大きくすることができる。
【００１１】
［適用例３］所定の結合比率は、格子点の位置に応じて決定される値である適用例２記載のルックアップテーブルの作成方法。
【００１２】
かかるルックアップテーブルの作成方法は、格子点の位置に応じて結合比率が決定されるので、結合するルックアップテーブルの長所を活かして、各々の格子点の色特性に適したルックアップテーブルを作成することができる。
【００１３】
［適用例４］所定の結合比率は、第１の色空間の外縁から所定の範囲に属する格子点では、第１のルックアップテーブルの比率が値１である適用例３記載のルックアップテーブルの作成方法。
【００１４】
かかるルックアップテーブルの作成方法で作成したルックアップテーブルは、純色または純色に近い入力値に対しては、色補正を行わない第１のルックアップテーブルとして働くので、濁りのない純色を表現できる。
【００１５】
［適用例５］所定の結合比率は、第１の色空間の中心から所定の範囲に属する格子点では、第１のルックアップテーブルの比率が値０である適用例３または適用例４記載のルックアップテーブルの作成方法。
【００１６】
かかるルックアップテーブルの作成方法で作成したルックアップテーブルは、中間階調の入力値に対しては、色補正を行った第２のルックアップテーブルとして働くので、自然画を豊かに表現できる。
【００１７】
［適用例６］適用例３ないし適用例５のいずれか記載のルックアップテーブルの作成方法であって、所定の結合比率は、第１の色空間の外縁と第１の色空間の中心との間の所定の範囲に属する格子点では、格子点の位置が第１の色空間の中心に向かうに従って、第１のルックアップテーブルの比率が小さくなるルックアップテーブルの作成方法。
【００１８】
かかるルックアップテーブルの作成方法で作成したルックアップテーブルは、格子点の位置に応じて結合比率が段階的に変化するので、なめらかな階調変化とすることができる。
【００１９】
また、本発明は、上述したルックアップテーブルの作成方法のほかに、適用例７の印刷装置としても実現することができる。
［適用例７］印刷装置であって、適用例１ないし適用例６のいずれか記載のルックアップテーブルの作成方法で作成した新たなルックアップテーブルを記憶する記憶部と、新たなルックアップテーブルを用いて、入力値を前記出力値に変換する色変換処理を行う色変換部と、色変換処理の結果を用いて印刷を実行する印刷部とを備えた印刷装置。
【発明を実施するための最良の形態】
【００２０】
Ａ．実施例：
Ａ−１．装置構成：
図１は、本発明の実施例としてのプリンタ２０の概略構成図である。図示するように、プリンタ２０は、紙送りモータ７４によって印刷媒体Ｐを搬送する機構と、キャリッジモータ７０によってキャリッジ８０をプラテン７５の軸方向に往復動させる機構と、キャリッジ８０に搭載された印刷ヘッド８１を駆動してインクの吐出及びドット形成を行う機構と、これらの紙送りモータ７４，キャリッジモータ７０，印刷ヘッド８１及び操作パネル９３との信号のやり取りを司る制御ユニット３０とから構成されている。
【００２１】
キャリッジ８０をプラテン７５の軸方向に往復動させる機構は、プラテン７５の軸と並行に架設され、キャリッジ８０を摺動可能に保持する摺動軸７３と、キャリッジモータ７０との間に無端の駆動ベルト７１を張設するプーリ７２等から構成されている。
【００２２】
キャリッジ８０には、カラーインクとして、シアンインクＣ、マゼンタインクＭ、イエロインクＹ、ブラックインクＫをそれぞれ収容したカラーインク用のインクカートリッジ８２〜８５が搭載される。キャリッジ８０の下部の印刷ヘッド８１には、上述の各色のカラーインクに対応するノズル列が形成されている。キャリッジ８０にこれらのインクカートリッジ８２〜８５を上方から装着すると、各カートリッジから印刷ヘッド８１へのインクの供給が可能となる。
【００２３】
制御ユニット３０は、ＣＰＵ４０や、ＲＯＭ５１、ＲＡＭ５２、ＥＥＰＲＯＭ６０がバスで相互に接続されて構成されている。制御ユニット３０は、ＲＯＭ５１やＥＥＰＲＯＭ６０に記憶されたプログラムをＲＡＭ５２に展開し、実行することにより、色変換部４２、印刷部４３としても機能する。この機能部の詳細については後述する。
【００２４】
ＥＥＰＲＯＭ６０には、ルックアップテーブル（ＬＵＴ）６２が記憶されている。本実施例におけるＬＵＴ６２は、ＲＧＢ各色の階調値（０〜２５５）を１７のグリッドで分割した格子点（合計で１７×１７×１７グリッド）と、各格子点に対応するＣＭＹＫ階調値とが対応付けられている。本実施例においては、格子点のＲＧＢ階調値の値は、０，１５，３１，４７，６３，７９，９５，１１１，１２７，１４３，１５９，１７５，１９１，２０７，２２３，２３９，２５５とした。ＬＵＴ６２は、後述する印刷処理において、ＣＰＵ４０が、入力されたＲＧＢデータを、プリンタ２０で扱うことができるＣＭＹＫデータに変換する際に用いられる。
【００２５】
制御ユニット３０には、メモリカードスロット９１が接続されており、メモリカードスロット９１に挿入したメモリカードＭＣから画像データＯＲＧを読み込んで入力することができる。本実施例においては、メモリカードＭＣから入力する画像データＯＲＧは、レッド（Ｒ）、グリーン（Ｇ）、ブルー（Ｂ）の３色の色成分からなるデータである。
【００２６】
以上のようなハードウェア構成を有するプリンタ２０は、キャリッジモータ７０を駆動することによって、印刷ヘッド８１を印刷媒体Ｐに対して主走査方向に往復動させ、また、紙送りモータ７４を駆動することによって、印刷媒体Ｐを副走査方向に移動させる。制御ユニット３０は、キャリッジ８０が往復動する動き（主走査）や、印刷媒体の紙送りの動き（副走査）に合わせて、印刷データに基づいて適切なタイミングでノズルを駆動することにより、印刷媒体Ｐ上の適切な位置に適切な色のインクドットを形成する。こうすることによって、プリンタ２０は、印刷媒体Ｐ上にメモリカードＭＣから入力したカラー画像を印刷することが可能となっている。
【００２７】
Ａ−２．印刷処理：
プリンタ２０における印刷処理について説明する。図２は、本実施形態における印刷処理のフローチャートである。ここでの印刷処理は、ユーザが操作パネル９３等を用いて、メモリカードＭＣに記憶された所定の画像の印刷指示操作を行うことで開始される。印刷処理を開始すると、ＣＰＵ４０は、まず、メモリカードスロット９１を介してメモリカードＭＣから印刷対象であるＲＧＢ形式の画像データＯＲＧを読み込んで入力する（ステップＳ１１０）。
【００２８】
画像データＯＲＧを入力すると、ＣＰＵ４０は、色変換部４２の処理として、ＥＥＰＲＯＭ６０に記憶されたＬＵＴ６２を参照して、画像データＯＲＧについて、ＲＧＢ形式をＣＭＹＫ形式に色変換する（ステップＳ１２０）。なお、本実施例では、取り得る階調値の範囲を１７分割した格子点での対応関係のみをＬＵＴ６２として記憶しているので、格子点間の中間的なＲＧＢ階調値に対しては線形補間演算を行なって色変換を行なうようにしている。こうすれば、ＬＵＴ６２の記憶に必要なメモリ容量を削減することができるからである。ただし、格子点の数は、自由に設定すればよく、例えば、９分割してもよいし、２５６分割してもよい。また、補間方法は、特に限定するものではなく、種々の方法を用いることができる。
【００２９】
色変換処理を行うと、ＣＰＵ４０は、画像データを各色のドットのＯＮ／ＯＦＦデータに変換するハーフトーン処理を行う（ステップＳ１３０）。ここでは、周知の組織的ディザ法を用いる。ハーフトーン処理を行うと、ＣＰＵ４０は、プリンタ２０のノズル配置や紙送り量などに合わせて、１回の主走査単位で印画するドットパターンデータに並び替えるインターレス処理を行う（ステップＳ１４０）。インターレス処理を行うと、ＣＰＵ４０は、印刷部４３の処理として、印刷ヘッド８１、キャリッジモータ７０、モータ７４等を駆動させて、印刷を実行する（ステップＳ１５０）。
【００３０】
Ａ−３．ＬＵＴ作成方法：
上述の印刷処理に用いるＬＵＴ６２の作成方法について図３を用いて説明する。かかる処理は、プリンタ２０の製造段階において、メインフレーム等のＣＰＵを用いて、ＬＵＴ６２を作成する処理である。ＬＵＴ６２の作成においては、まず、色補正を行っていないＬＵＴ６２ａと、色補正を行ったＬＵＴ６２ｂとを用意する（ステップＳ２１０）。本実施例では、用意したＬＵＴ６２ａ，６２ｂをメモリに記憶させた。なお、色補正を行っていないＬＵＴ６２ａとは、所定の演算等による対応関係に基づいて入力値を出力値に単純に変換するＬＵＴである。また、色補正を行ったＬＵＴ６２ｂとは、ＬＵＴ６２ａに対して、実際の出力の測色結果などに基づいて入力値と出力値との対応関係の補正を行い、広いガマットを確保し、階調変化がなめらかとなるように、ガマットマッピングされたＬＵＴである。ＬＵＴ６２ａは、請求項の第１のルックアップテーブルに該当し、ＬＵＴ６２ｂは、請求項の第２のルックアップテーブルに該当する。
【００３１】
本実施例においては、ＬＵＴ６２ａは、ＲＧＢの各階調値をＣＭＹの階調値に単純に補色変換し、更に、ＣＭＹの各階調値のうちの、インクの記録率制限を越える部分を適切な比率でＫに置き換えたＬＵＴであり、具体的には、ＬＵＴ６２ａのＲＧＢ階調値とＣＭＹＫ階調値との対応関係が次式（１）〜（４）に基づいて定められているものとした。なお、式中のＣ，Ｍ，Ｙ，Ｋ，Ｒ，Ｇ，Ｂは、それぞれの色の階調値を示し、ｍｉｎ（Ａ，Ｂ，Ｃ）は、Ａ，Ｂ，Ｃの最小値を示す。
【００３２】
Ｃ＝２５５−Ｒ−Ｋ・・・（１）
Ｍ＝２５５−Ｇ−Ｋ・・・（２）
Ｙ＝２５５−Ｂ−Ｋ・・・（３）
Ｋ＝ｍｉｎ（２５５−Ｒ，２５５−Ｇ，２５５−Ｂ）・・・（４）
【００３３】
ＬＵＴを用意すると、次に、ＬＵＴ６２ａ及びＬＵＴ６２ｂ各々の、互いに対応する位置の格子点の１つを選択する（ステップＳ２２０）。本実施例では、最初に選択する格子点は、格子点ＧＰ（Ｒ，Ｇ，Ｂ）＝（０，０，０）とした。
【００３４】
格子点の１つを選択すると、次に、次式（５）に示すように、当該格子点におけるＬＵＴ６２ａ及びＬＵＴ６２ｂの出力値を、当該出力値の使用比率である結合比率αで結合し、ＬＵＴ６２の出力値を算出する（ステップＳ２３０）。
ＬＵＴ６２＝ＬＵＴ６２ａ×α＋ＬＵＴ６２ｂ×（１−α）・・・（５）
【００３５】
本実施例においては、上述の結合比率αは、上記ステップＳ２２０で選択した格子点の位置に応じて決定することとした。また、結合比率αは、ＲＧＢ色空間の外縁から所定の範囲に属する格子点では、値１とし、ＲＧＢ色空間の中心から所定の範囲に属する格子点では、値０とし、上述の範囲にも属さない格子点では、格子点の位置がＲＧＢ色空間の中心に向かうに従って、結合比率αの値が小さくなるように設定するものとした。
【００３６】
具体的には、図４（ａ）に示すＲＧＢ色空間のうち、ＲＧＢ空間の外縁から、当該外縁から格子点の１スパン分だけ内部に属する格子点までの格子点においては、結合比率αを値１とするものとした。要するに、格子点Ｋ（０，０，０）、Ｒ（２５５，０，０）、Ｍ（２５５，０，２５５）、Ｂ（０，０，２５５）、Ｇ（０，２５５，０）、Ｙ（２５５，２５５，０）、Ｗ（２５５，２５５，２５５）、Ｃ（０，２５５，２５５）の８個の格子点で形成される立方体ＳＰ１の表面に属する格子点と、格子点Ｐ１（１５，１５，１５）、Ｐ２（２３９，１５，１５）、Ｐ３（２３９，１５，２３９）、Ｐ４（１５，１５，２３９）、Ｐ５（１５，２３９，１５）、Ｐ６（２３９，２３９，１５）、Ｐ７（２３９，２３９，２３９）、Ｐ８（１５，２３９，２３９）の８個の格子点で形成される立方体ＳＰ２の表面に属する格子点とにおいては、結合比率αを値１とするのである。
【００３７】
また、図４（ｂ）に示すＲＧＢ色空間のうち、グレイラインＧＬの中点に位置するＲＧＢ色空間の中心（１２７．５，１２７．５，１２７．５）に最も近い格子点である中心格子点ＣＰ（１２７，１２７，１２７）から、格子点の４スパン分の範囲に属する格子点では、結合比率αを値０とするものとした。要するに、格子点Ｐ１１（６３，６３，６３）、Ｐ１２（１９１，６３，６３）、Ｐ１３（１９１，６３，１９１）、Ｐ１４（６３，６３，１９１）、Ｐ１５（６３，１９１，６３）、Ｐ１６（１９１，１９１，６３）、Ｐ１７（１９１，１９１，１９１）、Ｐ１８（６３，１９１，１９１）の８個の格子点で形成される立方体ＳＰ３の表面または内部に属する格子点においては、結合比率αを値０とするのである。
【００３８】
また、立方体ＳＰ２よりも内部であって、立方体ＳＰ３よりも外部に属する格子点では、格子点の位置が中心格子点ＣＰ（１２７，１２７，１２７）に向かうに従って、結合比率αの値が小さくなるように設定するものとした。本実施例では、立方体ＳＰ１から格子点の２スパン分だけ内部に属する立方体に属する格子点では、結合比率αは値２／３、立方体ＳＰ１から格子点の３スパン分だけ内部に属する立方体に属する格子点では、結合比率αは値１／３とした。
【００３９】
なお、結合比率αの値を値１とする範囲、値０とする範囲、段階的に変化させる範囲は、上述の例に限られるものではなく、立方体ＳＰ１の外縁から中心点ＣＰ（１２７，１２７，１２７）に向かって結合比率αが段階的に小さくなるように適宜設定すればよい。
【００４０】
１つのＬＵＴ６２の出力値を算出すると、ＣＰＵ４０は、上記ステップＳ２２０〜Ｓ２３０の処理を、全ての格子点について終了するまで繰り返す（ステップＳ２４０）。こうして、ＬＵＴ６２ａとＬＵＴ６２ｂとを基にしてＬＵＴ６２が完成する。
【００４１】
かかるＬＵＴ６２の作成方法は、色補正を行っていないＬＵＴ６２ａと、色補正を行ったＬＵＴ６２ｂとを用意し、当該ＬＵＴの対応する各格子点の出力値を結合比率αで結合して、新たなＬＵＴ６２を作成する。したがって、複雑な最適化処理を行わなくても、既存のＬＵＴ６２ａ，ＬＵＴ６２ｂを活用して、効率的に、ＬＵＴ６２ａ及びＬＵＴ６２ｂの特性を併せ持った新たな特性のＬＵＴ６２を作成することができる。また、かかるＬＵＴの作成方法は、格子点の位置に応じて決定された結合比率αを用いて作成するので、既存のＬＵＴの長所を活かして、各格子点の色特性に適した新たなＬＵＴ６２を作成することができる。
【００４２】
また、かかるＬＵＴ６２の作成方法は、ＲＧＢ色空間の外縁から所定の範囲に属する格子点では、結合比率αを値１とするので、作成されたＬＵＴ６２は、純色または純色に近い入力値に対しては、色補正を行わないＬＵＴ６２ａとして働くので、濁りのない純色を表現できる。また、ＲＧＢ色空間の中心から所定の範囲に属する格子点では、結合比率αを値０とするので、作成されたＬＵＴ６２は、中間階調の入力値に対しては、色補正を行ったＬＵＴ６２ｂとして働くので、自然画を豊かに表現できる。
【００４３】
さらに、かかるＬＵＴ６２の作成方法は、上述の範囲のいずれにも属さない格子点では、格子点の位置がＲＧＢ色空間の中心に向かうに従って、結合比率αの値が小さくなるので、すなわち、結合比率αが急激に変化することがないので、なめらかな階調変化とすることができる。
【００４４】
Ｂ．変形例：
上述の実施形態の変形例について説明する。
Ｂ−１．変形例１：
上述の実施形態においては、色補正を行っていないＬＵＴ６２ａと、色補正を行ったＬＵＴ６２ｂとを結合して、ＬＵＴ６２を作成する態様について示したが、ＬＵＴ６２の作成の基礎とする色補正を行ったＬＵＴは、１種類に限らず、特性の異なる複数種類のＬＵＴとしてもよい。例えば、色補正を行っていないＬＵＴ６２ａと色補正を行ったＬＵＴ６２ｂ及びＬＵＴ６２ｃとを、適宜設定した比率、例えば、次式（６）により結合してもよい。特性の異なる複数種類のＬＵＴとしては、例えば、ガマット重視のＬＵＴと粒状性重視のＬＵＴとすることができる。こうすれば、ＬＵＴ６２の特性の自由度を広げることができる。
ＬＵＴ６２＝ＬＵＴ６２ａ×α＋ＬＵＴ６２ｂ×（１−α）／２＋ＬＵＴ６２ｃ×（１−α）／２・・・（６）
【００４５】
Ｂ−２．変形例２：
上述の実施形態においては、各格子点の位置に応じて、具体的には、各格子点の、ＲＧＢ色空間における外縁または中心からの距離に応じて、結合比率αの値を決定する構成としたが、必ずしもかかる構成とする必要はなく、結合比率αは、格子点によって変化する値としてもよい。例えば、所定のパラメータによって、結合比率αを変化させてもよい。パラメータとしては、例えば、各格子点の彩度を用いることができる。各格子点の階調値が表す彩度に応じて、結合比率αを変化させる場合の、彩度と結合比率αとの関係の具体例を図５に示す。この例では、彩度が値Ｓ１以下の場合は、結合比率αは値０であり、彩度が値Ｓ２以上の場合は、結合比率αは値１となる。また、彩度が値Ｓ１とＳ２の間にある場合には、彩度の大きさに比例して、結合比率αが大きくなる。このようにしても、実施例と同様の効果を奏することができる。
【００４６】
なお、各格子点の彩度は、例えば、次式（７）によって算出することができる。式（７）において、ＲＧＢｍａｘ，ＲＧＢｍｉｎは、ＲＧＢの各階調値のうちの最大値と最小値である。また、ＲＧＢｍａｘ＝０の時は、本実施例では、Ｓ＝２５５とした。
Ｓ＝（ＲＧＢｍａｘ−ＲＧＢｍｉｎ）／ＲＧＢｍａｘ×２５５・・・（７）
【００４７】
Ｂ−３．変形例３：
上述の実施形態においては、結合比率αは、格子点によって変化する値としたが、結合比率αは、格子点の位置によらず一定の値としてもよい。こうすれば、より簡単にＬＵＴ６２を作成することができる。
【００４８】
Ｂ−４．変形例４：
本実施例では、ＬＵＴ６２の出力値は、ＣＭＹＫの４色による色空間で表されるものとしたが、出力値に係る色空間は、プリンタ２０が取り扱うインク色に対応していればよく、例えば、ＣＭＹＫにＬｃ（ライトシアン）、Ｌｍ（ライトマゼンタ）、Ｒ（レッド）、Ｂ（ブルー）などを追加したものであってもよい。
【００４９】
このような場合、ＬＵＴ６２ａ及びＬＵＴ６２ｂの出力値に係る色空間は、プリンタが取り扱うインク色としてもよい。例えば、プリンタ２０が取り扱うインク色がＣＭＹＫＬｃＬｍであれば、ＬＵＴ６２ａ及びＬＵＴ６２ｂの出力値に係る色空間は、ＣＭＹＫＬｃＬｍとなる。この場合、色補正を行っていないＬＵＴ６２ａは、例えば、予め定めた濃淡比率に基づいてＣＭＹＫＬｃＬｍの出力値が演算により算出されたものとしてもよい。
【００５０】
あるいは、ＬＵＴ６２ａの出力値に係る色空間は、ＣＭＹＫとし、ＬＵＴ６２ｂの出力値に係る色空間は、ＣＭＹＫＬｃＬｍとしてもよい。このような場合には、出力値の結合に際して、ＬＵＴ６２ｂにのみ出力値が存在する色については、ＬＵＴ６２ａにおける当該色の出力値は値０として、新たなＬＵＴの出力値を算出してもよい。
【００５１】
Ｂ−５．変形例５：
上述の実施形態においては、ＲＧＢ色空間内にて表される入力値と、ＣＭＹＫ色空間内にて表される出力値との対応関係を記述したＬＵＴの作成方法等について示したが、入力値と出力値との間での色空間の組み合わせは、特に限定するものではない。例えば、入力値に係る色空間は、ＲＧＢ色空間、ＣＭＹＫ色空間、Ｌ*ａ*ｂ*空間、Ｌ*ｕ*ｖ*空間、ｘｙＹ空間など、種々の色空間とすることができ、出力値は、プリンタ２０で取り扱うインク色に対応するものであればよい。
【００５２】
Ｂ−６．変形例６：
上述した実施形態においては、プリンタ２０が図２の印刷処理の全てを実行する構成としたが、プリンタ２０にコンピュータが接続される場合には、印刷処理の一部を当該コンピュータが実行してもよい。かかる場合、コンピュータとプリンタ２０とによって構成される印刷システムは、広義の印刷装置として捉えることができる。また、印刷装置としての本発明は、実施例に示したインクジェット式プリンタに限られるものではなく、レーザプリンタなど種々のプリンタ、さらには、版を用いる印刷機、コピー機、ファクシミリなど、種々の広義の印刷装置に適用することができる。
【００５３】
以上、本発明の実施形態について説明したが、本発明はこうした実施形態に限られるものではなく、本発明の要旨を脱しない範囲において、種々なる態様で実施できることは勿論である。例えば、本発明は、ＬＵＴの作成方法、印刷装置としての構成の他、ＬＵＴ作成プログラム、記憶媒体等としても実現することができる。
【図面の簡単な説明】
【００５４】
【図１】プリンタ２０の概略構成図である。
【図２】プリンタ２０における印刷処理のフローチャートである。
【図３】プリンタ２０の色変換処理に用いるＬＵＴの作成手順を示すフローチャートである。
【図４】ＬＵＴ６２の作成における結合比率αの決定方法を説明する説明図である。
【図５】変形例としての、ＬＵＴ６２の作成における結合比率αの決定方法を説明する説明図である。
【符号の説明】
【００５５】
２０…プリンタ
３０…制御ユニット
４０…ＣＰＵ
４２…色変換部
４３…印刷部
５１…ＲＯＭ
５２…ＲＡＭ
６０…ＥＥＰＲＯＭ
６２，６２ａ，６２ｂ…ＬＵＴ
７０…キャリッジモータ
７１…駆動ベルト
７２…プーリ
７３…摺動軸
７４…紙送りモータ
７５…プラテン
８０…キャリッジ
８１…印刷ヘッド
８２〜８５…インクカートリッジ
９１…メモリカードスロット
９３…操作パネル
Ｐ…印刷媒体
ＭＣ…メモリカード
ＧＬ…グレイライン
ＳＰ１〜ＳＰ３…立方体
【図１】
2010141828.tif 000003
【図２】
2010141828.tif 000004
【図３】
2010141828.tif 000005
【図４】
2010141828.tif 000006
【図５】
2010141828.tif 000007